(57)【要約】      （修正有）【課題】石や宝石にハーブなどの香りを移し、長期間にわたって利用可能とする充香箱を提供する。【解決手段】充香容器３に、ドライハーブ、または、乾燥した木材や乾燥野菜の小片などの香床材５に精油（エッセンシャルオイル）を染み込ませた香床６を入れ、香床６の上の充香空間５に石や宝石からなる腕輪などの被香物を置き、ふた２を閉めて数時間密閉し香りを移らせるようにした。香床材５が被香物を部分接触的に支承する。【選択図】図１
0003166858.tif 000002
【実用新案登録請求の範囲】
【請求項１】
容器と、乾燥植物にベースノート精油、ミドルノート精油及びトップノート精油の内の複数種の精油をしみ込ませて形成された香床材が複数混合されて香床が形成され、該香床の上表面が前記香床材自体によって凸凹形状に形成されたことからなり、
前記香床の上表面の上側に被香物が収納される充香空間が形成されること
を特徴とする充香箱。
【請求項２】
請求項１において、前記上表面の凸凹形状が支承表面とされ、該支承表面に前記香床材からの香りが付着される被香物が支承されていることを特徴とする充香箱。
【考案の詳細な説明】
【技術分野】
【０００１】
本考案は、精油をドライハーブ、または、乾燥した木材や乾燥野菜やドライフルーツの小片などの香床材に染み込ませた香床の上に石や宝石などの被香物を置き、数時間密閉して香りを移らせるようにした充香箱に関する。
【背景技術】
【０００２】
従来、研磨した石や宝石類を精油（エッセンシャルオイル）に浸漬して香りを吸着させることで香りを維持させ、それを数珠や腕輪などに利用したものはあった。
【０００３】
たとえば特許文献１には、大理石を香料オイルに浸して内部まで浸透させ、その後で大理石に樹脂皮膜を形成することで２〜６ヶ月くらい香りを維持するものが記載されている。
【０００４】
また、特許文献２においては、ブレスレットの一部を多孔質の溶岩を用いて作成し、これにアロマオイルや香水を浸透させたものが記載されている。
【０００５】
さらに特許文献３には、木製の玉に真空含浸法で香りを含浸させ、表面加工した数珠が記載されている。
【０００６】
しかしながら、大理石に浸透させる方法では２〜６ヶ月香りが維持されるとしても徐々に香りが失われてしまうものであった。さらにこのような構成物は、就寝時など香りを必要としない、または別の香りを必要とする時間帯においても香りを発散し続けており、それにより香りを維持する期間が短くなっていた。また多孔質溶岩にアロマオイルを浸透させるようなものでは、材質が特定されるうえ、オイル容器の慎重な操作が煩わしく、装着後にオイルが漏れしたたるなどの事故も懸念されるものである。なお、嗜好により木製の玉でなく石や宝石を利用したい場合には、木製の玉への香りの吸着技術は役にたたない。
【先行技術文献】
【特許文献】
【０００７】
【特許文献１】特開２０００−１６８２９８号
【特許文献２】実用新案登録第３１５０６０７号
【特許文献３】実用新案登録第３０５８０４６号
【考案の開示】
【考案が解決しようとする課題】
【０００８】
香床として布や腐食切れなどに精油を染み込ませるものでは、石や数珠などの被香物を置いた場合、被香物の表面に精油が直接接触するために精油が付着してヌルヌル状態付着状態になるとか、精油によっては付着によって人体の皮膚に刺激を及ぼす懸念が生ずるとか、付着により被香物の輝きの喪失や変色することがあり、破損することさえある。これを避けて、実用上、香りだけが移った状態にすることが必要である。
【０００９】
また、被香物としては、用途が限定的な多孔性の石や木製ではなく、材質を問わない石や宝石を対象にできることが必要である。
【００１０】
さらに、数ヶ月程度で香りが減少してしまうのでは商品価値が少なく、簡単な操作で香りを長期間にわたり維持できることが必要である。このようなことについては上述のいずれの特許文献にも記載されていない。
【００１１】
そこで本考案は、自然石、加工石、研磨石、さらに数珠や腕輪などに加工したもののいずれにおいてもそのままの状態で、揮発した香りをごく近くに置くことで香りを移させる充香箱を提供することを目的とする。
【課題を解決するための手段】
【００１２】
本考案は、前記目的達成のために、揮発性の精油（エッセンシャルオイル）を、ドライハーブ、または、乾燥した木材や乾燥ニンジンの小片などの香床材に染み込ませたものを香床とし、その上に石や宝石などの被香物を置き、数時間密封して香りを移らせるようにした充香箱を提案する。さらに、本考案は、トップノート精油とベースノート精油とミドルノート精油の内の複数種を組み合わせた精油を用いている。
【考案の効果】
【００１３】
本願の効果は、ドライハーブなどの香床材に精油を染み込ませた香床の表面が被香物である石を支承するものであるが、香床の表面が適度な凸凹になっているために被香物の表面に精油が直接付着してヌルヌル状態になるとか、付着により被香物の輝きの喪失や変色、また破損するようなことが発生し難い。
【００１４】
他の効果は、香床６の上側に充香空間３を形成して、香りを石や宝石など広範囲の被香物に移すようにしたことである。被香物は多孔質など特殊なものである必要はない。
【００１５】
さらに、被香物を充香箱内の充香空間に維持することで香りを移すものであり、香床に数ヶ月ごとに精油を補給すれば半永久的に利用可能である。また精油を変更することで好みの変化に対応できる。
【００１６】
さらに本考案によれば、被香物である腕輪などを使用しない時間帯に充香箱に保存することが可能とされるものであり、香りを無駄に発散させず、逆に被香物に香りを増加付着させることができる。
【考案を実施するための最良の形態】
【００１７】
以下、本考案を実施する形態の図面を参照して説明する。
【実施例】
【００１８】
本考案は図１に示すように、揮発性の精油を、ドライハーブ、または、乾燥した木材やニンジンのような乾燥野菜や乾燥フルーツの小片などの香床材５に染み込ませて香床６を形成し、その上に充香空間４を設け、図４に示すように香床６の上に石や宝石などの被香物７を置き、数時間密閉して香りを移らせるようにした充香箱１を形成する。充香箱１は充香容器３とふた２から構成されている。図２において、香床６の手前側側面６２は充香容器３に接し、上面は香床６の上表面６１であり、上表面６１は香床材５によりアトランダムに凸凹の形、あるいは緩やかにとがった形状になっている。なお、充香容器３に様々の大きさからなる香床材５を入れ精油を降りかけて染み込ませるが、充香箱１を上下左右に揺動させて混ぜてもよい。さらに、取り扱い時に遥動することもあるので、香床材５の表面には香床材５の微細片が付着している場合が多い。
【００１９】
充香容器３はガラスや木製、またはプラスチックなどを使う。ガラスは、香りの染み込みがないが重量や強度が問題になる場合もある。木製の場合は、長く使っていると香りが木に染み込み香床６と同じく香りを維持する働きをして好都合であるが、後で香りを変える場合には不都合の場合もある。プラスチックは長期の利用では化学変化により劣化、破損の恐れがあるが、安価であるので場合によっては利用できる。このように特徴があるので使い分けが必要である。また、精油による充香容器３の材質の違いは少ないが、精油がヒノキの場合は充香容器を桧材とするのが好ましい。充香容器３を金属とすることは化学変化のために好ましくないが、ハーブが表１の４番に示すローズ系の場合は金属でもよい。
【００２０】
ふた２は、充香容器３内に発散した香りを封じ込めるためのものであり、充香容器３と同一または類似の材質にしてもよい。
【００２１】
精油は、ハーブ植物などから精製、抽出した芳香を持つ揮発性の液体で、エッセンシャルオイルや香料オイルとも言われる。本考案で用いる精油は、少なくともトップノート精油とベースノート精油を組み合わせることで長時間の香りの維持をもたらすように調合したものである。トップノートとは、ハッカ（エルメントールが主成分）などであり強いがすぐに感じなくなる香りである。ベースノートとはビャクダンなどのように長く匂う香りである。ミドルノートとは中間のもので、柑橘類（リモネン、シトラール、リナロールを含む）などの香りである。少なくともベースノートの精油とトップノートの精油、さらに必要に応じてミドルノートの精油も混ぜることで香りが長く続くということは、すでに一般に知られている。トップノートとベースノートの香りの種類や混ぜる割合は、ビジネス用、リラックス用など用途に応じて変えるなど様々のものが知られているが、さらに利用者の要望に合わせて他の成分を追加することもできる。
【００２２】
香床材５に利用するドライハーブは、良い香りを持つ植物の葉、花、木部、樹脂などを乾燥させたものである。ドライハーブや桧などを乾燥させたものは、多くの場合、細かな繊維のために精油を染み込ませた場合に適度に発散させることに役立つと共に、精油と合わせた香りを期待できる。香りのほとんどない乾燥した木材や乾燥ニンジンなどはほとんど香りを持たないが、細かな繊維を持ち精油の維持と発散に役立つ。
【００２３】
香床材５のそれぞれは多様な形をしているが、概ねリーフ状とブロック状のものに分けられる。ドライハーブは多くの場合リーフ状であるが、乾燥フルーツや木材の場合はリーフ状とブロック状がある。香床材５のそれぞれの大きさは、リーフの場合は長さ幅とも数〜十数ｍｍ程度、ブロック状の場合は１辺が数ｍｍである。リーフ状あるいはブロック状の香床材は、一部が細かく砕かれて混合される。特に木材の場合は以下の理由で１辺が２〜７ｍｍ程度のものが好ましい。木材ブロックの大きさに関しては石に穴を空けて紐を通して数珠状にする場合、穴の直径は概ね1ｍｍであることを考慮する必要がある。木材ブロックなどの硬いものがこの穴に紛れ込むと紐に予期せぬ力が加わり切断の恐れがある。穴に紛れ込むのを防止するため木材ブロックの大きさはこの穴よりもやや大きめとする。また、後述する被香物７である石の直径は４〜１６ｍｍ程度のものが多いのでブロックがあまりに大きいと被香物７を支承するのに不都合が生じる。このため、ブロックは7ｍｍ程度以下が好ましい。
【００２４】
充香材５はその製造過程において0.3ｍｍ程度以下の微細片が生じるものであり、また長期間の利用によっても充香材５が砕かれた微細片が生じる。そのため、充香材５の表面にはそれらが付着している状態が常態である。
【００２５】
大小の香床材５が混合状態にある場合、意図的に上下左右に揺する、または取り扱いにより揺られることで小さいものは下に沈み、大きなものは上に来る割合が多くなる。その結果大きな香床材５でその上に置かれた被香物７を支承することになり、布などに被香物７をベタ置きした場合に比べて、接触面積が少なくなるので精油が直接に被香物７の表面に接触することが少なくなり、被香物７の表面を荒らすことが少ない。
【００２６】
このように、乾燥植物にベースノート精油、ミドルノート精油及びトップノート精油の内の複数種の精油をしみ込ませて形成した香床材５が複数混合されて香床６が形成される。この香床６の上表面が香床材５自体によって凸凹形状に形成される。この凸凹形状にはアトランダムな凸凹形状、あるいは穏やかにとがった状態、あるいはこれらの組み合わせが含まれる。この上表面６１の凸凹形状が支承表面とされ、この支承表面に、香床材５からの香りが付着される被香物７が支承される。すなわち保持される。
【００２７】
香床６の上表面６１の上側には被香物７が収納される充香空間３が形成される。香床材５からの香りは充香空間３に拡散し、この香りが凸凹形状の支承面（上表面６１）に支承された被香物７に付着される。そして、トップノート精油とベースノート精油を組み合わせることは特に重要であって、この組み合わせによって好ましい香りの基礎を形成することができる。
【００２８】
表１は、精油の組み合わせと香床材との組み合わせの一部の例を示すものであり、カッコ内の数字は精油の混合割合である。
【００２９】
表１において、例えば、番号＝１は覚醒効果のあるものであり、経済・ビジネス活動において好まれる香りである。ここに示す精油の組み合わせは典型的なものであるが必要に応じて追加することもできる。例えば、ビャクダンに対して安息香の追加、スイートオレンジに対してローズゼラニウムの追加、ハッカに対してメリッサの追加が行われることもある。
【００３０】
【表１】
0003166858.tif 000003
【００３１】
香床６は、香床材５の集まりに精油を染み込ませたものであり、上面が適度にアトランダムな凸凹の状態、あるいは、緩やかにとがった状態である。このために被香物７を乗せた場合、被香物７をクッションのある状態で支承し、被香物７を物理的に傷つけることがなく、また、過度に密着しないので精油により化学的に表面を荒らすことが少ない。
【００３２】
充香空間３は、香床材５からなる香床６とふた２の間の空間である。香床６から揮発した香りが充満し、図４に示すようにそこに置いた被香物７にその香りが移る。充香空間３の香りは高濃度であることが好ましいので、充香空間３の大きさは被香物７を置いた場合、ふた２により圧迫しない状態で最小の大きさであることが好ましい。
【００３３】
被香物７は、香床６の上に置いて香りを移されるものであり、自然石、球形や勾玉（まがたま）状、その他に加工や研磨した石、宝石、またはそれらの中心部に孔を開け、紐で連結した数珠、腕輪などである。
【００３４】
本考案の充香箱１を利用者が使用するには、就寝などの際のように腕輪などの被香物を必要としない時間帯にその被香物を充香箱３の香床６に置き、ふた２を閉める。十数時間たった翌日それを取り出す頃には、香りが被香物に移っている。なお、数ヶ月たって香りの好みが変わった場合には、それに適した精油を香床６に追加することもできる。
【００３５】
図面では充香箱１は四角の箱としているがそれに限定されるものではなく、丸型、楕円型、貝殻などの形、その他の形をしているものでも当然実施可能である。さらに、ふた２は上に乗せるものだけでなく、蝶つがいにより充香容器３と組み合わさった構造のものであっても差し支えない。
【図面の簡単な説明】
【００３６】
【図１】充香容器とふたで構成される充香箱の側面図。
【図２】本考案の充香容器の斜視図。
【図３】本考案の充香容器の上面図。
【図４】充香容器に被香物を入れふたをした充香箱の側面図。
【符号の説明】
【００３７】
１…充香箱、２…ふた、３…充香容器、４…充香空間、５…香床材、６…香床、６１…香床の上表面、６２…香床の手前側面、７…被香物。
【図１】
0003166858.tif 000004
【図２】
0003166858.tif 000005
【図３】
0003166858.tif 000006
【図４】
0003166858.tif 000007